(57)【要約】      （修正有）【課題】装設の便利なコストの低い電池ボックスを提供する。【解決手段】電池ボックス１００は上ケース１０、複数の導電弾性板２０、回路基板３０、複数の導線４０、及び下ケース５０を備える。上ケース１０は前壁部１１、後壁部１２、底壁部１３、及び２つの側壁部１４を有する。側壁部１４には複数の装着溝１４１が開設される。前壁部１１、後壁部１２、及び２つの側壁部１４には複数の係止溝１６が開設される。複数の導電弾性板２０は装着溝１４１内に装設されるように固定される。回路基板３０は上ケース１０の前壁部１１の外側に装設される。各導線４０は導電弾性板２０及び回路基板３０に溶接される。下ケース５０は前面板５１、後面板５２、下板５３、及び２枚の側板５４を有する。後面板５２には複数の係止棒５２１が凸設され、係止棒５２１の上端縁及び後壁部には複数の係止溝５２２が形成される。前面板５１、後面板５２、下板５３、及び２枚の側板５４に且つ上ケース１０の係止溝１６に対応する箇所には内に向けて複数の係合凸部５５が凸設される。【選択図】図２
0003195220.tif 000002
【実用新案登録請求の範囲】
【請求項１】
前壁部、後壁部、底壁部、及び２つの側壁部を有し、前壁部、後壁部、底壁部、及び２つの側壁部に包囲されることで収納室が形成される上ケースと、
上ケースの２つの側壁部の装着溝内に装設されるように固定される複数の導電弾性板と、
上ケースの前壁部の外側に装設される回路基板と、
各々は上ケースに装設されるように固定されると共に一端は導電弾性板に溶接され、他端は回路基板に溶接される複数の導線と、
前面板、後面板、下板、及び２枚の側板を有し、前面板の中央からは外に向けて凹むように収納溝が形成され、前記収納溝の両側の溝壁に且つ上ケースの上部留め金に対応する箇所には下部留め金がそれぞれ設置され、後面板の内表面には前に向けて複数の係止棒が凸設され、係止棒の上端縁には前に向けて上に湾曲し延出すると共に後壁部の内表面とは複数の係止溝が形成され、前面板、後面板、下板、及び２枚の側板の内表面に且つ上ケースに開設される係止溝に対応する箇所は内に向けて複数の係合凸部が凸設される下ケースを備え、
さらに、前記上ケースの前壁部には前に向けて位置決め部が凸設され、且つ各位置決め部の下端の頂角箇所から上ケースの底壁部に突出される箇所には上部留め金が設置され、側壁部の内表面はそれぞれ陥没すると共に下に向けて延出されて上ケースを貫通させる底壁部箇所には複数の装着溝が開設され、前壁部、後壁部、及び２つの側壁部の外表面には複数の係止溝がそれぞれ開設され、また、下ケースは上ケースの外に覆設され、回路基板は収納溝内に収納され、上ケースの上部留め金と下ケースの下部留め金とは相互に係合し合い、上ケースの後壁部の下端は下ケースの係止溝内に係止され、下ケースに凸設される係合凸部は上ケースに係合される係止溝内にそれぞれ対応することを特徴とする電池ボックス。
【請求項２】
前記上ケースの底壁部の両側には穿設される２つの側壁部まで延出される複数の孔部に対応し、前記側壁部の内表面はそれぞれ陥没すると共に下に向けて延出されて上ケースを貫通させる底壁部箇所の孔部に連通される複数の装着溝が開設され、一側の装着溝の溝壁の中央には内に向けて当接ブロックが凸設され、前記導電弾性板は複数の第一導電弾性板及び複数の第二導電弾性板を含み、第二導電弾性板は孔部を貫通させると共に上ケースに設置される当接ブロックの一側の装着溝内に装設されるように固定され、第一導電弾性板は孔部を貫通させると共に上ケースの他側の装着溝内に装設されるように固定されることを特徴とする、請求項１記載の電池ボックス。
【請求項３】
前記側壁部の外表面の前記装着溝に対応する箇所には外に向けて複数の係合ブロックが凸設され、且つ前記各第一導電弾性板はＵ字型の第一固定部及び第一固定部の内側の端縁から上に向けて延出されるように形成される第一接触部を備え、第一固定部の外側には上ケースの係合ブロックに対応する箇所には第一固定孔が穿設され、係合ブロックは第一固定孔内に係合され、第一固定部及び第一接触部は側壁部の装着溝内に収納され、各第二導電弾性板はＵ字型の第二固定部及び第二固定部内側の端縁から上に向けて延出された後に下と内に向けて湾曲されて延出されるように形成される弾性接触部を含み、第二固定部の外側には上ケースの係合ブロックに対応する箇所には第二固定孔が穿設され、前記第二固定部の内側には上ケースの当接ブロックに対応する箇所には位置限定孔が開設され、係合ブロックは第二固定孔内に係合され、第二固定部は側壁部の装着溝内に収納され、且つ弾性接触部は内に向けて装着溝から突出され、当接ブロックは第二固定部の位置限定孔内に収納されることを特徴とする、請求項２記載の電池ボックス。
【請求項４】
前記上ケースの前壁部の上端縁の中央には前に向けて突出される凸部が形成され、凸部の下表面には下に向けて前壁部の中央に複数のストッパーが凸設され、且つ前壁部の中央のストッパーは下に向けて延出されてケースの底壁部に突出され、前壁部の両側の前記２つの位置決め部にある内側にはそれぞれ前に向けて位置決めピンが凸設され、前記回路基板の両側に且つ上ケースの位置決めピンに対応する箇所には位置決め孔が開設され、回路基板は前壁部の位置決め部内に装設され、ストッパーは回路基板に当接され、位置決めピンは回路基板の位置決め孔を貫通させて上ケースの前壁部に固定させることを特徴とする、請求項１記載の電池ボックス。
【請求項５】
前記凸部の下表面の両側にはそれぞれ上に向けて陥没する位置決め溝が形成され、前記下ケースの前面板の上側縁に且つ凸部の位置決め溝に対応する箇所には上に向けて位置決め凸部が凸設され、位置決め凸部は位置決め溝内に係止され、下ケースの底板の前端の中央には上ケースの前壁部の中央のストッパーに対応する箇所には固定溝が開設され、上ケースのストッパーは固定溝内に係止されることを特徴とする、請求項４記載の電池ボックス。
【請求項６】
前記回路基板の前表面には複数の接触点が設けられ、前記下ケースの前面板の中央に且つ回路基板の接触点に対応する箇所には収納溝に連通される差込口が穿設されることを特徴とする、請求項１記載の電池ボックス。
【請求項７】
前記底壁部の下表面には下に向けて複数対の平行に並列される固定ブロックが凸設され、各対の固定ブロックの間には固定溝が形成され、導線は上ケースの底壁部の孔部を貫通させると共に底壁部の固定溝内に固定されることを特徴とする、請求項１記載の電池ボックス。
【請求項８】
前記上部留め金の下端には傾斜する第一斜面を有し、下部留め金の上端には傾斜する第二斜面を有し、上部留め金の上端は水平な第一当接面であり、下部留め金の下端は水平な第二当接面であることを特徴とする、請求項１記載の電池ボックス。
【考案の詳細な説明】
【技術分野】
【０００１】
本考案は、装設の便利なコストの低い電池ボックスに関する。
【背景技術】
【０００２】
現在、電池は我々の生活に広く活用されている。現在の電池は一般的には電池ボックスに装設され、給電を行う。従来の電池ボックスは上ケース、複数の導電弾性板、及び下ケースを備える。複数の導電弾性板は上ケースに装設されるように固定され、前記下ケースは上ケースの外に被覆され、超音波溶接機により上ケースと下ケースとが溶接されて一体になる。
【考案の概要】
【考案が解決しようとする課題】
【０００３】
しかしながら、前述した従来の電池ボックスでは、即ち、上ケース及び下ケースは超音波により溶接されて一体化するため、超音波溶接機を購入しないと作業が行えず、製造コストが高くなった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、装設が便利でコストが低い電池ボックスを提供することを主目的とする。
【課題を解決するための手段】
【０００６】
上述した課題を解決し、目的を達成するために、本考案に係る電池ボックスは、前壁部、後壁部、底壁部、及び２つの側壁部を有し、前壁部、後壁部、底壁部、及び２つの側壁部に包囲されることで収納室が形成される上ケースと、
上ケースの２つの側壁部の装着溝内に装設されるように固定される複数の導電弾性板と、上ケースの前壁部の外側に装設される回路基板と、
各々は上ケースに装設されるように固定されると共に一端は導電弾性板に溶接され、他端は回路基板に溶接される複数の導線と、前面板、後面板、下板、及び２枚の側板を有し、前面板の中央からは外に向けて凹むように収納溝が形成され、前記収納溝の両側の溝壁に且つ上ケースの上部留め金に対応する箇所は下部留め金がそれぞれ設置され、後面板の内表面には前に向けて複数の係止棒が凸設され、係止棒の上端縁には前に向けて上に湾曲し延出すると共に後壁部の内表面とは複数の係止溝が形成され、前面板、後面板、下板、及び２枚の側板の内表面に且つ上ケースに開設される係止溝に対応する箇所は内に向けて複数の係合凸部が凸設される下ケースを備え、
さらに、前記上ケースの前壁部には前に向けて位置決め部が凸設され、且つ各位置決め部の下端の頂角箇所から上ケースの底壁部に突出される箇所には上部留め金が設置され、側壁部の内表面はそれぞれ陥没すると共に下に向けて延出されて上ケースを貫通させる底壁部箇所には複数の装着溝が開設され、前壁部、後壁部、及び２つの側壁部の外表面には複数の係止溝がそれぞれ開設され、また、下ケースは上ケースの外に覆設され、回路基板は収納溝内に収納され、上ケースの上部留め金と下ケースの下部留め金とは相互に係合し合い、上ケースの後壁部の下端は下ケースの係止溝内に係止され、下ケースに凸設される係合凸部は上ケースに係合される係止溝内にそれぞれ対応することを特徴とする。
【０００７】
本考案に係る電池ボックスにおいて、前記上ケースの底壁部の両側に穿設される２つの側壁部まで延出される複数の孔部に対応し、前記側壁部の内表面はそれぞれ陥没すると共に下に向けて延出されて上ケースを貫通させる底壁部箇所の孔部に連通される複数の装着溝が開設され、一側の装着溝の溝壁の中央には内に向けて当接ブロックが凸設され、前記導電弾性板は複数の第一導電弾性板及び複数の第二導電弾性板を含み、第二導電弾性板は孔部を貫通させると共に上ケースに設置される当接ブロックの一側の装着溝内に装設されるように固定され、第一導電弾性板は孔部を貫通させると共に上ケースの他側の装着溝内に装設されるように固定される。
【０００８】
本考案に係る電池ボックスにおいて、前記側壁部の外表面の前記装着溝に対応する箇所には外に向けて複数の係合ブロックが凸設され、且つ前記各第一導電弾性板はＵ字型の第一固定部及び第一固定部の内側の端縁から上に向けて延出されるように形成される第一接触部を備え、第一固定部の外側には上ケースの係合ブロックに対応する箇所には第一固定孔が穿設され、係合ブロックは第一固定孔内に係合され、第一固定部及び第一接触部は側壁部の装着溝内に収納され、各第二導電弾性板はＵ字型の第二固定部及び第二固定部内側の端縁から上に向けて延出された後に下と内に向けて湾曲されて延出されるように形成される弾性接触部を含み、第二固定部の外側には上ケースの係合ブロックに対応する箇所には第二固定孔が穿設され、前記第二固定部の内側には上ケースの当接ブロックに対応する箇所には位置限定孔が開設され、係合ブロックは第二固定孔内に係合され、第二固定部は側壁部の装着溝内に収納され、且つ弾性接触部は内に向けて装着溝から突出され、当接ブロックは第二固定部の位置限定孔内に収納される。
【０００９】
本考案に係る電池ボックスにおいて、前記上ケースの前壁部の上端縁の中央には前に向けて突出される凸部が形成され、凸部の下表面には下に向けて前壁部の中央に複数のストッパーが凸設され、且つ前壁部の中央のストッパーは下に向けて延出されてケースの底壁部に突出され、前壁部の両側の前記２つの位置決め部にある内側にはそれぞれ前に向けて位置決めピンが凸設され、前記回路基板の両側に且つ上ケースの位置決めピンに対応する箇所には位置決め孔が開設され、回路基板は前壁部の位置決め部内に装設され、ストッパーは回路基板に当接され、位置決めピンは回路基板の位置決め孔を貫通させて上ケースの前壁部に固定させる。
【００１０】
また、本考案に係る電池ボックスにおいて、前記凸部の下表面の両側にはそれぞれ上に向けて陥没する位置決め溝が形成され、前記下ケースの前面板の上側縁に且つ凸部の位置決め溝に対応する箇所には上に向けて位置決め凸部が凸設され、位置決め凸部は位置決め溝内に係止され、下ケースの底板の前端の中央には上ケースの前壁部の中央のストッパーに対応する箇所には固定溝が開設され、上ケースのストッパーは固定溝内に係止される。
【００１１】
なお、本考案に係る電池ボックスにおいて、前記回路基板の前表面には複数の接触点が設けられ、前記下ケースの前面板の中央に且つ回路基板の接触点に対応する箇所には収納溝に連通される差込口が穿設される。
【００１２】
本考案に係る電池ボックスにおいて、前記底壁部の下表面には下に向けて複数対の平行に並列される固定ブロックが凸設され、各対の固定ブロックの間には固定溝が形成され、導線は上ケースの底壁部の孔部を貫通させると共に底壁部の固定溝内に固定される。
【００１３】
さらに、本考案に係る電池ボックスにおいて、前記上部留め金の下端には傾斜する第一斜面を有し、下部留め金の上端には傾斜する第二斜面を有し、上部留め金の上端は水平な第一当接面であり、下部留め金の下端は水平な第二当接面である。
【考案の効果】
【００１４】
本考案に係る電池ボックスは上ケースの前壁部、後壁部、及び２つの側壁部の外表面に複数の係止溝がそれぞれ開設され、下ケースの前面板、後面板、下板、及び２枚の側板の内表面が対応する上ケースの前壁部、後壁部、及び２つの側壁部の外表面に開設される係止溝には内に向けて複数の係合凸部が凸設され、前記係合凸部は上ケースの係止溝内にそれぞれ対応するように係合される。これにより、本考案に係る電池ボックスは係合方式の装設により、装設が便利になり、コストが節約できる。また、上ケースの前壁部には複数のストッパーが凸設されると共に前記回路基板に当接され、これにより回路基板が外力を受力し変形するのを防ぐ。また、上ケースの一側の装着溝の溝壁の中央には内に向けて当接ブロックが凸設され、第二導電弾性板の弾性接触部が外力を受けて永久的に変形するのを防止する。
【図面の簡単な説明】
【００１５】
【図１】本考案の第１実施形態による電池ボックスを示す外観斜視図である。
【図２】図１に示す電池ボックスを示す展開図である。
【図３】図２に示す電池ボックスの上ケースを他の角度から見た斜視図である。
【図４】図２に示す電池ボックスの下ケースを他の角度から見た斜視図である。
【図５】図１に示す電池ボックスのA線に沿った断面図である。
【図６】図５に示す電池ボックスの上部留め金及び下部留め金の箇所を拡大図である。
【図７】図１に示す電池ボックスのＢ線に沿った断面図である。
【図８】図１に示す電池ボックスのＣ線に沿った断面図である。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
（第１実施形態）
まず、本考案に係る電池ボックスを図１〜８に基づいて説明する。本考案の電池ボックス１００は、上ケース１０、複数の導電弾性板２０、回路基板３０、複数の導線４０、及び下ケース５０を備える（図１及び図２参照）。
【００１８】
次は図２、図３、図７及び図８によれば、前記上ケース１０は長方形のケース体であり、前記上ケース１０は前壁部１１、後壁部１２、底壁部１３、及び２つの側壁部１４を有する。前壁部１１、後壁部１２、底壁部１３、及び２つの側壁部１４が包囲することで収納室１５が形成され、前記収納室１５は複数の電池の装設に用いられる（図示せず）。前壁部１１の上端縁の中央には前に向けて凸部１１１が凸設され、前記凸部１１１の下表面の両側にはそれぞれ上に向けて陥没する位置決め溝１１１１が形成される。凸部１１１の下表面の中央には下に向けて前壁部１１に凸設される複数のストッパー１１２が形成され、且つ前壁部１１の中央のストッパー１１２は下に向けて持続的に延出し上ケース１０の底壁部１３から突出する。前壁部１１の両側にはそれぞれ前方下に向けて延出された後に凸部１１１の中央の方向に向けて湾曲されて延出される位置決め部１１３が凸設され、且つ各位置決め部１１３の下端の頂角の箇所には上ケース１０の底壁部１３から突出される上部留め金１１４が設置される。前壁部１１の両側の前記２つの位置決め部１１３の内側にはそれぞれ前に向けて位置決めピン１１５が凸設される。
【００１９】
前記底壁部１３の下表面には下に向けて平行に並列になる複数対の固定ブロック１３１が凸設され、これにより各対固定ブロック１３１の間には固定溝１３２が形成されて導線４０の固定に用いられる。底壁部１３の両側には２つの側壁部１４まで延出される複数の孔部１３３が穿設される。前記側壁部１４の内表面にはそれぞれ陥没すると共に下に向けて延出されて上ケース１０の底壁部１３を貫通させ且つ孔部１３３に連通される複数の装着溝１４１が開設され、一側の装着溝１４１の溝壁の中央には内に向けてブロック１４２が凸設される。側壁部１４の外表面の前記装着溝１４１に対応する位置には外に向けて複数の係合ブロック１４３が凸設される。前記上ケース１０の前壁部１１、後壁部１２、及び２つの側壁部１４の外表面には複数の係止溝１６がそれぞれ開設される。
【００２０】
図２に示すように、前記導電弾性板２０は上ケース１０の２つの側壁部１４の装着溝１４１内に装設されるように固定される。具体的には、前記導電弾性板２０は複数の第一導電弾性板２１及び複数の第二導電弾性板２２を備える。各第一導電弾性板２１はＵ字型の第一固定部２１１及び第一固定部２１１の内側の端縁から上に向けて延出されて形成される第一接触部２１２を含み、第一固定部２１１の外側には上ケース１０の係合ブロック１４３に対応する第一固定孔２１３が穿設される。各第二導電弾性板２２はＵ字型の第二固定部２２１及び第二固定部２２１の内側の端縁から上に向けて延出された後に下方に内に向けて湾曲し延出されて形成される弾性接触部２２２で構成される。第二固定部２２１の外側には上ケース１０の係合ブロック１４３に対応する複数の第二固定孔２２３が穿設される。前記第二固定部２２１の内側には上ケース１０の当接ブロック１４２に対応する位置限定孔２２４が開設される。
【００２１】
前記回路基板３０は上ケース１０の前壁部１１の外側に装設される。具体的には、回路基板３０の両側には上ケース１０の前壁部１１に凸設される位置決めピン１１５に対応する位置決め孔３１が開設され、回路基板３０の前表面には複数の接触点３２が設けられる。
【００２２】
前記下ケース５０は前面板５１、後面板５２、下板５３、及び２枚の側板５４を有する（図２及び図４参照）。前面板５１の中央には外に向けて凹む収納溝５１１が形成され、前記収納溝５１１の両側の溝壁には上ケース１０の上部留め金１１４に対応する下部留め金５１２がそれぞれ設置され、前面板５１の上側縁には上ケース１０の凸部１１１の位置決め溝１１１１に対応して上に向けて位置決め凸部５１３が凸設される。後面板５２の内表面には前に向けて複数の係止棒５２１が凸設され、前記係止棒５２１の上端縁は前に向けて上に湾曲して延出されると共に後壁部５２の内表面と共に複数の係止溝５２２を形成させる。底板５３の前端の中央には上ケース１０の前壁部１１の中央の箇所のストッパー１１２に対応する固定溝５３１が開設される。下ケース５０の前面板５１、後面板５２、下板５３、及び２枚の側板５４の内表面には上ケース１０の前壁部１１、後壁部１２、及び２つの側壁部１４の外表面に開設される係止溝１６に対応して内に向けて複数の係合凸部５５が凸設される。前記下ケース５０の前面板５１の中央には回路基板３０の接触点３２に対応すると共に収納溝５１１に連通される差込口５１４が穿設され、回路基板３０の接触点３２は電池ボックス１００の外に露出されると共に外部に電気的に接続される。
【００２３】
また、図１ないし図８によれば、本考案に係る電池ボックス１００の装設は、前記導電弾性板２０が下から上に孔部１３３を貫通させて上ケース１０の２つの側壁部１４の装着溝１４１内に装設されるように固定される。具体的には、前記第二導電弾性板２２は下から上に孔部１３３を貫通させて上ケース１０に設置される当接ブロック１４２の一側の装着溝１４１内に装設されるように固定され、第一導電弾性板２１は下から上に孔部１３３を貫通させて上ケース１０の他側の装着溝１４１内に装設されるように固定される。一側の側壁部１４の係合ブロック１４３は第二固定部２２１の第二固定孔２２３内に係合され、第二固定部２２１は側壁部１４の装着溝１４１内に収納され、且つ弾性接触部２２２は内に向けて装着溝１４１に突出され、当接ブロック１４２は第二固定部２２１の位置限定孔２２４内に収納される。他側の側壁部１４の係合ブロック１４３は第一固定部２１１の第一固定孔２１３内に係合され、第一固定部２１１及び第一接触部２１２は側壁部１４の装着溝１４１内に収納される。本実施形態によると、前記当接ブロック１４２を設置させることで第二導電弾性板２２の弾性接触部２２２が外力により不可逆的に変形するのを防止する。
【００２４】
前記回路基板３０は前壁部１１の位置決め部１１３内に装設され、ストッパー１１２は回路基板３０に当接され、位置決めピン１１５は回路基板３０の位置決め孔３１を貫通させて回路基板３０を上ケース１０の前壁部１１の外側に固定させる。前記導線４０は電池及び回路基板３０の電気的に接続に用いられ、前記導線４０は上ケース１０の底壁部１３の孔部１３３を貫通させると共に上ケース１０の底壁部１３の固定溝１３２内に装設されるように固定され、一端は導電弾性板２０に溶接され、他端は回路基板４０に溶接される。前記下ケース５０は下から上に上ケース１０の外部に覆設される。また、前記回路基板３０は直立に収納溝５１１内に収納され、上ケース１０のストッパー１１２は下ケース５０の固定溝５３１内に係止され、上ケース１０の上部留め金１１４と下ケース５０の下部留め金５１２とは相互に係合し、上ケース１０の後壁部１２の下端は下ケース５０の係止溝５２２内に係止され、下ケース５０の前面板５１の位置決め凸部５１３は上ケース１０の凸部１１１の位置決め溝１１１１内に係止される。下ケース５０の前面板５１、後面板５２、下板５３、及び２枚の側板５４に凸設される係合凸部５５はケース１０の前壁部１１、後壁部１２、及び２つの側壁部１４に開設される係止溝１６内にそれぞれ対応するように係合される。
【００２５】
本実施形態において、前記上部留め金１１４の下端には傾斜する第一斜面１１４１を有し、下部留め金５１２の上端には傾斜する第二斜面５１２１を有し、上ケース１０の下ケース５０への装設を円滑に行わせる。上部留め金１１４の上端は水平な第一当接面１１４２であり、下部留め金５１２の下端は水平な第二当接面５１２２であり、本考案に係る電池ボックス１００の装設完了後及び使用中に脱落するのを防止する。
【００２６】
上述したように、本考案に係る電池ボックス１００は上ケース１０の前壁部１１、後壁部１２、及び２つの側壁部１４の外表面に複数の係止溝１６がそれぞれ開設され、且つ下ケース５０の前面板５１、後面板５２、下板５３、及び２枚の側板５４の内表面には上ケース１０の前壁部１１、後壁部１２、及び２つの側壁部１４の外表面に開設される係止溝１６に対応すると共に内に向けて複数の個係合凸部５５が凸設され、前記係合凸部５５はケース１０の係止溝１６内にそれぞれ対応するように係合される。本考案に係る電池ボックス１００には係合式装設が採用され、装設が便利になり、コストの節約に繋がる。このほか、上ケース１０の前壁部１１には複数のストッパー１１２が凸設されると共に前記回路基板３０に当接され、これにより回路基板３０が外力を受けて変形するのを回避させる。上ケース１０の一側の装着溝１４１の溝壁の中央には内に向けて当接ブロック１４２が凸設され、第二導電弾性板２２の弾性接触部２２２が外力により永久的に変形することを防止する。
【００２７】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２８】
１００  電池ボックス
１０  上ケース
１１  前壁部
１１１  凸部
１１１１  位置決め溝
１１２  ストッパー
１１３  位置決め部
１１４  上部留め金
１１４１  第一斜面
１１４２  第一当接面
１１５  位置決めピン
１２  後壁部
１３  底壁部
１３１  固定ブロック
１３２  固定溝
１３３  孔部
１４  側壁部
１４１  装着溝
１４２  当接ブロック
１４３  係合ブロック
１５  収納室
１６  係止溝
２０  導電弾性板
２１  第一導電弾性板
２１１  第一固定部
２１２  第一接触部
２１３  第一固定孔
２２  第二導電弾性板
２２１  第二固定部
２２２  弾性接触部
２２３  第二固定孔
２２４  位置限定孔
３０  回路基板
３１  位置決め孔
３２  接触点
４０  導線
５０  下ケース
５１  前面板
５１１  収納溝
５１２  下部留め金
５１２１  第二斜面
５１２２  第二当接面
５１３  位置決め凸部
５１４  差込口
５２  後面板
５２１  係止棒
５２２  係止溝
５３  底板
５３１  固定溝
５４  側板
５５  係合凸部
【図１】
0003195220.tif 000003
【図２】
0003195220.tif 000004
【図３】
0003195220.tif 000005
【図４】
0003195220.tif 000006
【図５】
0003195220.tif 000007
【図６】
0003195220.tif 000008
【図７】
0003195220.tif 000009
【図８】
0003195220.tif 000010